【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
光を照射された被検体から発生して探触子により受信された光音響波に基づいて第１の画像を生成し、前記被検体に送信され前記被検体により反射した超音波に基づいて第２の画像を生成する信号処理手段と、
表示手段に前記第１の画像と前記第２の画像を表示させる制御手段と、
ユーザから入力された、前記第１の画像および前記第２の画像それぞれについての、複数の深度における輝度の制御の操作を受け付けるユーザインターフェースと、
を備え、
前記信号処理手段は、前記第１の画像および前記第２の画像の輝度を、入力された前記輝度の制御の操作に応じて決定し、
前記制御手段は、前記第１の画像および前記第２の画像を、前記信号処理手段によって前記輝度の制御の操作に応じて決定された輝度で前記表示手段に表示させる
ことを特徴とする被検体情報取得装置。
【請求項２】
前記制御手段は、前記表示手段に、前記第１の画像および前記第２の画像を重畳表示させる
ことを特徴とする請求項１に記載の被検体情報取得装置。
【請求項３】
前記制御手段は、前記表示手段に、前記第１の画像および前記第２の画像を並べて表示させる
ことを特徴とする請求項１に記載の被検体情報取得装置。
【請求項４】
前記制御手段は、前記ユーザインターフェースを、画像として前記表示手段に表示させる
ことを特徴とする請求項１ないし３のいずれか１項に記載の被検体情報取得装置。
【請求項５】
前記制御手段は、前記表示手段に、前記画像としてのユーザインターフェースを、前記第１の画像および前記第２の画像と並べて表示させる
ことを特徴とする請求項４に記載の被検体情報取得装置。
【請求項６】
前記第１の画像と前記第２の画像のうち少なくともいずれかの輝度分布を取得する輝度分布算出手段と、
前記第１の画像の輝度を補正する第１の補正手段と、
前記第２の画像の輝度を、前記第１の補正手段とは独立に補正する第２の補正手段と、をさらに備え、
前記輝度分布算出手段によって前記第１の画像の輝度分布を示す第１の輝度分布が取得されるとき、前記第１の補正手段は前記第１の輝度分布に基づく補正を行い、前記輝度分布算出手段によって前記第２の画像の輝度分布を示す第２の輝度分布が取得されるとき、前記第２の補正手段は前記第２の輝度分布に基づく補正を行う
ことを特徴とする請求項１ないし５のいずれか１項に記載の被検体情報取得装置。
【請求項７】
前記第１の輝度分布が前記輝度分布算出手段によって取得されたとき、前記第１の補正手段は、前記第１の輝度分布に含まれる輝度である第１の基準を決定し、前記第１の画像の輝度を前記第１の基準に基づいて補正し、
前記第２の輝度分布が前記輝度分布算出手段によって取得されたとき、前記第２の補正手段は、前記第２の輝度分布に含まれる輝度である第２の基準を決定し、前記第２の画像を前記第２の基準に基づいて補正する
ことを特徴とする請求項６に記載の被検体情報取得装置。
【請求項８】
前記探触子をさらに備える
ことを特徴とする請求項１ないし７のいずれか１項に記載の被検体情報取得装置。
【請求項９】
前記輝度の制御の操作が入力されていない場合は、前記制御手段は、デフォルトの輝度設定を用いて、前記第１の画像と前記第２の画像を前記表示手段に表示させる
ことを特徴とする請求項１ないし８のいずれか１項に記載の被検体情報取得装置。
【請求項１０】
前記ユーザインターフェースは、前記ユーザによる、前記輝度の制御の操作をリセットして前記デフォルトの輝度設定を用いるリセット操作の入力を受け付けることができる
ことを特徴とする請求項９に記載の被検体情報取得装置。
【請求項１１】
前記制御手段は、前記第１の画像と前記第２の画像を互いに異なる色で前記表示手段に表示させる
ことを特徴とする請求項１ないし１０のいずれか１項に記載の被検体情報取得装置。
【請求項１２】
光を照射された被検体から発生して探触子により受信された光音響波に基づいて第１の画像を生成する第１の生成ステップと、
前記被検体に送信され前記被検体により反射した超音波に基づいて第２の画像を生成する第２の生成ステップと、
表示手段に前記第１の画像と前記第２の画像を表示させる表示ステップと、
ユーザインターフェースによって、ユーザから入力された、前記第１の画像および前記第２の画像それぞれについての、複数の深度における輝度の制御の操作を受け付ける受け付けステップと、
前記第１の画像および前記第２の画像の輝度を、入力された前記輝度の制御の操作に応じて決定する決定ステップと、
を有し、
前記表示ステップは、前記第１の画像および前記第２の画像を、前記決定ステップにおいて前記輝度の制御の操作に応じて決定された輝度で前記表示手段に表示させる
ことを特徴とする表示方法。
【請求項１３】
前記表示ステップは、前記第１の画像および前記第２の画像を重畳表示させる
ことを特徴とする請求項１２に記載の表示方法。
【請求項１４】
前記表示ステップは、前記第１の画像および前記第２の画像を並べて表示させる
ことを特徴とする請求項１２に記載の表示方法。
【請求項１５】
前記受け付けステップは、前記ユーザインターフェースを画像として表示させる
ことを特徴とする請求項１２ないし１４のいずれか１項に記載の表示方法。
【請求項１６】
前記表示ステップは、前記画像としてのユーザインターフェースを、前記第１の画像および前記第２の画像と並べて表示させる
ことを特徴とする請求項１５に記載の表示方法。
【請求項１７】
前記第１の画像と前記第２の画像のうち少なくともいずれかの輝度分布を取得する輝度分布算出ステップと、
前記第１の画像の輝度を補正する第１の補正ステップと、
前記第２の画像の輝度を、前記第１の補正ステップとは独立に補正する第２の補正ステップと、
をさらに有し、
前記輝度分布算出ステップによって前記第１の画像の輝度分布を示す第１の輝度分布が取得されるとき、前記第１の補正ステップによる前記第１の輝度分布に基づく補正が行われ、
前記輝度分布算出ステップによって前記第２の画像の輝度分布を示す第２の輝度分布が取得されるとき、前記第２の補正ステップによる前記第２の輝度分布に基づく補正が行われる
ことを特徴とする請求項１２ないし１６のいずれか１項に記載の表示方法。
【請求項１８】
前記第１の輝度分布が取得されたとき、前記第１の補正ステップは、前記第１の輝度分布に含まれる輝度である第１の基準を決定し、前記第１の画像の輝度を前記第１の基準に基づいて補正し、
前記第２の輝度分布が取得されたとき、前記第２の補正ステップは、前記第２の輝度分布に含まれる輝度である第２の基準を決定し、前記第２の画像を前記第２の基準に基づいて補正する
ことを特徴とする請求項１７に記載の表示方法。
【請求項１９】
前記探触子が前記光音響波を受信するステップをさらに有する
ことを特徴とする請求項１２ないし１８のいずれか１項に記載の表示方法。
【請求項２０】
前記輝度の制御の操作が入力されていない場合は、前記表示ステップは、デフォルトの輝度設定を用いて、前記第１の画像と前記第２の画像を表示させる
ことを特徴とする請求項１２ないし１９のいずれか１項に記載の表示方法。
【請求項２１】
前記ユーザインターフェースは、前記ユーザによる、前記輝度の制御の操作をリセットして前記デフォルトの輝度設定を用いるリセット操作の入力を受け付けることができる
ことを特徴とする請求項２０に記載の表示方法。
【請求項２２】
前記表示ステップは、前記第１の画像と前記第２の画像を互いに異なる色で表示させることを特徴とする請求項１２ないし２１のいずれか１項に記載の表示方法。
【手続補正２】
【補正対象書類名】明細書
【補正対象項目名】００２１
【補正方法】変更
【補正の内容】
【００２１】
本発明は、以下の構成を採用する。すなわち、
光を照射された被検体から発生して探触子により受信された光音響波に基づいて第１の画像を生成し、前記被検体に送信され前記被検体により反射した超音波に基づいて第２の画像を生成する信号処理手段と、
表示手段に前記第１の画像と前記第２の画像を表示させる制御手段と、
ユーザから入力された、前記第１の画像および前記第２の画像それぞれについての、複数の深度における輝度の制御の操作を受け付けるユーザインターフェースと、
を備え、
前記信号処理手段は、前記第１の画像および前記第２の画像の輝度を、入力された前記輝度の制御の操作に応じて決定し、
前記制御手段は、前記第１の画像および前記第２の画像を、前記信号処理手段によって前記輝度の制御の操作に応じて決定された輝度で前記表示手段に表示させる
ことを特徴とする被検体情報取得装置である。 
【手続補正３】
【補正対象書類名】明細書
【補正対象項目名】００２２
【補正方法】変更
【補正の内容】
【００２２】
本発明はまた、以下の構成を採用する。すなわち、
光を照射された被検体から発生して探触子により受信された光音響波に基づいて第１の画像を生成する第１の生成ステップと、
前記被検体に送信され前記被検体により反射した超音波に基づいて第２の画像を生成する第２の生成ステップと、
表示手段に前記第１の画像と前記第２の画像を表示させる表示ステップと、
ユーザインターフェースによって、ユーザから入力された、前記第１の画像および前記第２の画像それぞれについての、複数の深度における輝度の制御の操作を受け付ける受け付けステップと、
前記第１の画像および前記第２の画像の輝度を、入力された前記輝度の制御の操作に応じて決定する決定ステップと、
を有し、
前記表示ステップは、前記第１の画像および前記第２の画像を、前記決定ステップにおいて前記輝度の制御の操作に応じて決定された輝度で前記表示手段に表示させる
ことを特徴とする表示方法である。